(57)【要約】音声とデータをアナログ式コードレス電話システムにおいて同一チャネル上で同時に通信する方法であって、通話中、可聴音声信号からアナログ信号を発生し、約２０ＫＨｚの公称周波数を有するディジタル信号から周波数偏移変調（ＦＳＫ）信号を発生し、前記アナログ信号と周波数偏移変調（ＦＳＫ）信号とを加算して、複合アナログ・ディジタル信号を発生し、この複合アナログ・ディジタル信号で高周波（ＲＦ）搬送波を変調して、この変調されたＲＦ搬送波を送信する。受信端では、前記変調されたＲＦ搬送波を受信し、これを復調して、複合アナログ・ディジタル信号を再生し、この複合アナログ・ディジタル信号を帯域フィルタで瀘波してアナログ信号と周波数偏移変調（ＦＳＫ）信号を互いに分離し、前記アナログ信号から可聴音声信号を再生し、前記周波数偏移変調（ＦＳＫ）信号からディジタル・データを検出し、該ディジタルデータを表示／制御用に処理する。
2004527141.tif 000002
【特許請求の範囲】
【請求項１】
コードレス電話システムにおいて音声とデータを同時に通信する方法であって、
通話中、可聴音声信号からアナログ信号を発生するステップと、
通話中、ディジタル変調信号をディジタル・データから発生するステップと、
前記アナログ信号と前記ディジタル変調信号を加算して、複合アナログ・ディジタル信号を発生するステップと、
前記複合アナログ・ディジタル信号で高周波（ＲＦ）搬送波を変調するステップと、
前記変調されたＲＦ搬送波を送信するステップと、からなる前記方法。
【請求項２】
前記ディジタル・データが発呼者識別（ＩＤ）データからなる、請求項１記載の方法。
【請求項３】
前記ディジタル・データが視覚表示用のテキスト・メッセージ・データからなる、請求項１記載の方法。
【請求項４】
前記ディジタル変調信号を発生するステップで、周波数偏移変調（ＦＳＫ）信号を発生する、請求項１記載の方法。
【請求項５】
前記アナログ信号を発生するステップで、５００〜５，０００Ｈｚの範囲内にある周波数を有するアナログ信号を発生し、前記ディジタル変調信号を発生するステップで、１０〜３０ＫＨｚの範囲内にある公称周波数を有するディジタル信号を発生する、請求項１記載の方法。
【請求項６】
音声とデータをコードレス電話システムにおいて同時に通信する方法であって、
通話中、変調された高周波（ＲＦ）搬送波を受信するステップと、
前記変調されたＲＦ搬送波を復調して、複合アナログ・ディジタル信号を発生するステップと、
前記複合アナログ・ディジタル信号を瀘波して、アナログ信号とディジタル変調信号とを互いに分離するステップと、
前記アナログ信号から可聴音声信号を発生するステップと、
前記ディジタル変調信号からディジタル・データを検出し、コードレス電話システムで表示または制御用に前記ディジタル・データを処理するステップと、からなる前記方法。
【請求項７】
ディジタル・データが発呼者識別（ＩＤ）データからなる、請求項６記載の方法。
【請求項８】
ディジタル・データが視覚表示用のテキスト・メッセージ・データからなる、請求項６記載の方法。
【請求項９】
ディジタル・データを検出するステップで、周波数偏移変調（ＦＳＫ）信号からディジタル・データを検出する、請求項６記載の方法。
【請求項１０】
前記アナログ信号の周波数が５００〜５，０００Ｈｚの範囲内にあり、前記ディジタル変調信号の公称周波数が１０〜３０ＫＨｚの範囲内にある、請求項６記載の方法。
【請求項１１】
通話中、可聴音声信号からアナログ信号を発生するオーディオ回路と、
ディジタル・データで搬送波を変調して、ディジタル変調信号を発生する第１の変調器と、
前記アナログ信号と前記ディジタル変調信号を加算して、複合アナログ・ディジタル信号を発生する加算器と、
前記複合アナログ・ディジタル信号で高周波（ＲＦ）搬送波を変調して、変調されたＲＦ搬送波を発生する第２の変調器と、
前記変調されたＲＦ搬送波を送信する送信器と、からなるコードレス電話デバイス（ｄｅｖｉｃｅ）。
【請求項１２】
コードレス電話デバイスがコードレス電話ユニットを含む、請求項１１記載のコードレス電話デバイス。
【請求項１３】
コードレス電話デバイスがコードレス基地局を含む、請求項１１記載のコードレス電話デバイス。
【請求項１４】
ディジタル・データが発呼者識別（ＩＤ）データからなる、請求項１１記載のコードレス電話デバイス。
【請求項１５】
ディジタル・データが視覚表示用のテキスト・メッセージ・データからなる、請求項１１記載のコードレス電話デバイス。
【請求項１６】
ディジタル変調信号を発生する第１の変調器が周波数偏移変調（ＦＳＫ）信号を発生する、請求項１１記載のコードレス電話デバイス。
【請求項１７】
前記アナログ信号を発生するオーディオ回路が、５００〜５，０００Ｈｚの周波数を有するアナログ信号を発生し、前記ディジタル変調信号を発生する第１の変調器が、１０〜３０ＫＨｚの公称周波数を有するディジタル変調信号を発生する、請求項１１記載のコードレス電話デバイス。
【請求項１８】
通話中、変調されたＲＦ搬送波を受信する受信器と、
前記変調されたＲＦ搬送波を復調して、複合アナログ・ディジタル信号を発生する復調器と、
前記複合アナログ・ディジタル信号を瀘波して、アナログ信号とディジタル変調信号とを互いに分離するフィルタと、
前記アナログ信号から可聴音声信号を発生するオーディオ回路と、
前記ディジタル変調信号からディジタル・データを検出する検波器と、
コードレス電話デバイスで表示または制御用にディジタル・データを処理するプロセッサと、
ディジタル・データを受信中、消音されないままの状態にあるスピーカと、からなるコードレス電話デバイス。
【請求項１９】
コードレス電話デバイスがコードレス電話ユニットを含む、請求項１８記載のコードレス電話デバイス。
【請求項２０】
コードレス電話デバイスがコードレス基地局を含む、請求項１８記載のコードレス電話デバイス。
【請求項２１】
ディジタル・データが発呼者識別（ＩＤ）データからなる、請求項１８記載のコードレス電話デバイス。
【請求項２２】
ディジタル・データが視覚表示用のテキスト・メッセージ・データからなる、請求項１８記載のコードレス電話デバイス。
【請求項２３】
検波器が、周波数偏移変調（ＦＳＫ）信号を含むディジタル変調信号からディジタル・データを検出する、請求項１８記載のコードレス電話デバイス。
【請求項２４】
アナログ信号が５００〜５，０００Ｈｚの周波数を有し、ディジタル信号が１０〜３０ＫＨｚの公称周波数を有する、請求項１８記載のコードレス電話デバイス。
【請求項２５】
コードレス電話デバイスであって、
送信部が、
通話中、第１の可聴音声信号から第１のアナログ信号を発生する第１のオーディオ回路と、
通話中、第１のディジタル・データから第１の周波数偏移変調（ＦＳＫ）信号を発生する周波数偏移変調信号発生器と、
前記第１のアナログ信号と前記第１の周波数偏移変調（ＦＳＫ）信号を加算して、第１の複合アナログ・ディジタル信号を発生する加算器と、
前記第１の複合アナログ・ディジタル信号で第１の高周波（ＲＦ）搬送波を変調して、第１の変調されたＲＦ搬送波を発生するＲＦ変調器と、
前記第１の変調されたＲＦ搬送波を送信する送信器と、を含み、
受信部が、
通話中、第２の変調されたＲＦ搬送波を受信する受信器と、
前記第２の変調されたＲＦ搬送波を復調して、第２の複合アナログ・ディジタル信号を発生する復調器と、
前記第２の複合アナログ・ディジタル信号を瀘波して、第２のアナログ信号と第２の周波数偏移変調（ＦＳＫ）信号とを互いに分離する帯域フィルタと、
前記第２のアナログ信号から第２の可聴音声信号を発生する第２のオーディオ回路と、
前記第２の周波数偏移変調（ＦＳＫ）信号から第２のディジタル・データを検出する包絡線（エンベロープ）検波器と、
コードレス電話デバイスの制御と表示のために前記第２のディジタル・データを処理するプロセッサと、
第２のディジタル・データを受信中、消音されないままの状態にあるスピーカと、からなる、コードレス電話デバイス。
【発明の詳細な説明】
【０００１】
（産業上の利用分野）
一般に、本発明は、コードレス（ｃｏｒｄｌｅｓｓ）電話システムに関し、特に、音声とデータを同一チャネルで同時に通信するアナログ・コードレス電話システムに関する。
【０００２】
（発明の背景）
従来のアナログ式コードレス電話システムは、高周波（Ｒａｄｉｏ  Ｆｒｅｑｕｅｎｃｙ：ＲＦ）信号で通信するコードレス基本ユニット（装置）とコードレス電話ユニット（電話器）を含んでいる。このような装置間で音声情報を通信するために、従来のアナログ式コードレス・システムでは、音声チャネルに周波数変調（Ｆｒｅｑｕｅｎｃｙ  Ｍｏｄｕｌａｔｉｏｎ：ＦＭ）のアナログ信号を使用する。従来のアナログ式コードレス・システムでは、セキュリティに関するコマンド、ダイヤル番号、発呼者識別（ＩＤ）、チャネル番号などのデータを通信するために音声チャネルにディジタル信号を使用する。
【０００３】
通話中に、音声チャネルにディジタル信号が送られてくると、コードレス電話ユニット（電話器）内のスピーカが消音されるので、エンドユーザ（利用者）にはこのディジタル信号が聞こえなくなる。この消音はスピーカを通るディジタル信号の音を除去して望ましいが、通話中に相手方の音声も一時的に消してしまう。これはコードレス電話器の利用者には不愉快に感じられる。
【０００４】
従って、アナログ式コードレス電話システムにおいて、音声とデータを同一のチャネルで同時に通信し、通話中に受信されるディジタル信号の音を除去するけれども、通話に悪影響を及ぼさない方法が必要とされる。
【０００５】
（発明の概要）
アナログ式コードレス電話システムにおいて、音声とデータを同時に通信する本発明による方法では、通話中、可聴音声信号からアナログ信号を発生し、ディジタル・データで搬送波を変調して、ディタル的に変調された信号を発生し、前記アナログ信号とディジタル変調信号とを加算して、アナログとディジタルの複合信号（ｃｏｍｐｏｓｉｔｅ  ｓｉｇｎａｌ）を発生し、高周波（ＲＦ）搬送波をこの複合アナログ・ディジタル信号で変調して、変調されたＲＦ搬送波を発生し、これを伝送する。受信端では、通話中この変調されたＲＦ搬送波を受信し、これを復調して、前記複合アナログ・ディジタル信号を再生し、この複合信号を瀘波して、前記アナログ信号とディジタル変調された信号とを互いに分離し、アナログ信号から可聴音声信号を再生し、コードレス電話システムにおける表示または制御用に、前記ディジタル変調信号からディジタル・データを検出する。このディジタル・データは、制御用または表示用に適する任意のデータ、例えば、発呼者識別（ＩＤ）データ、チャネル番号データ、テキスト・メッセージ・データ、或るいはキー選択データである。
【０００６】
本発明によるアナログ式コードレス電話システムは、コードレス基本ユニットとコードレス電話ユニット（電話器）を含んでいる。各ユニットは送信部と受信部を備える。送信部には、通話中第１の可聴音声信号から第１のアナログ信号を発生する第１のオーディオ回路、第１のディジタル・データから第１のディジタル的に変調された信号を発生する第１の変調器、前記第１のアナログ信号と前記第１のディジタル変調信号とを加算して、第１の複合アナログ・ディジタル信号を発生する加算器、前記第１の複合アナログ・ディジタル信号で第１のＲＦ搬送波を変調して第１の変調されたＲＦ搬送波を発生する第２の変調器、該第１の変調されたＲＦ搬送波を送信する送信器が含まれる。前記第１のディジタル・データは、制御／表示用に適する任意のデータ、例えば、発呼者ＩＤデータ、テキスト・メッセージ・データ、チャネル番号データ、或るいはキー選択データである。受信部には、通話中、第２の変調されたＲＦ搬送波を受信する受信器、前記第２の変調されたＲＦ搬送波を復調して第２の複合アナログ・ディジタル信号を発生する復調器、該第２の複合信号を瀘波して、第２のアナログ信号と第２のディジタル的に変調された信号を互いに分離するフィルタ、前記第２のアナログ信号から第２の可聴音声信号を発生するオーディオ回路、前記第２のディジタル変調信号から第２のディジタル・データを検出する検波器、コードレス・ユニット内で表示または制御用に前記第２のディジタル・データを処理するプロセッサ、および前記第２のディジタル・データを受信中、消音されないままの状態にあるスピーカ、が含まれる。
【０００７】
（発明の実施の形態）
本発明による、アナログ式コードレス電話システムにおいて、音声とデータを同一チャネルで同時に通信する方法では、通話中、可聴音声信号からアナログ信号を発生し、搬送波をディジタル・データで変調してディジタル的に変調された信号を発生し、前記アナログ信号とディジタル変調信号とを加算して複合アナログ・ディジタル信号を発生し、前記複合アナログ・ディジタル信号でＲＦ搬送波を変調して、変調されたＲＦ搬送波を発生し、これを送信する。受信端では、前記ＲＦ搬送波を受信し、これを復調して前記複合アナログ・ディジタル信号を再生し、この複合アナログ・ディジタル信号を瀘波して、前記アナログ信号とディジタル変調信号とを分離し、前記アナログ信号から可聴音声信号を再生し、コードレス電話システムにおける表示／制御用に、前記ディジタル変調信号から前記ディジタル・データを検出する。このディジタル・データは、制御用または表示用に適する任意のデータ、例えば、発呼者識別（ＩＤ）データ、テキスト・メッセージ・データ、チャネル番号データ、或るいはキー選択データである。
【０００８】
図１は、本発明のアナログ式コードレス電話システム１００のブロック図である。コードレス電話システム１００は、コードレス基地局１０２（コードレス基本ユニットと称されることもある）とコードレス送受話器１０８（コードレス電話ユニットと称されることもある）を含んでいる。コードレス基地局１０２とコードレス送受話器１０８は、高周波（ＲＦ）の信号１０６で互いに通信する。コードレス基地局１０２は、一般に、住宅または事業所に供給されている交流（ＡＣ）電源１１４に結合するためのインタフェースを備えている。また、コードレス基地局１０２は、地上通信線電話通信用の公衆交換電話網（Ｐｕｂｌｉｃ  Ｓｗｉｔｃｈｅｄ  Ｔｅｌｅｐｈｏｎｅ  Ｎｅｔｗｏｒｋ：ＰＳＴＮ）にコードレス基地局１０２を結合させる、地上通信線１１６に結合するためのインタフェースを備える。コードレス送受話器（ハンドセット）１０８は、コードレス基地局１０２に関連して利用される複数のコードレス送受話器１０４のうちの１個である。図１に示すように、これら複数のコードレス送受話器１０４にはコードレス送受話器１０８〜１１２（コードレス送受話器１〜Ｎ）が含まれる。
【０００９】
図２は、図１のアナログ式コードレス電話システム１００のコードレス電話ユニット１０８のブロック図である。図２のコードレス電話ユニット１０８は、コントローラ２０２、ユーザ・インタフェース回路２０４、およびトランシーバ回路２０６のような、普通の電気的構成要素を含んでいる。ユーザ・インタフェース回路２０４は、視覚ディスプレイに関連して使用する表示回路２０８、キーパッドに関連して使用するキーパッド回路２１０、スピーカ２１２、およびマイクロフォン２１４に関連して使用するオーディオ回路を含んでいる。トランシーバ回路２０６は、通信用にＲＦ技術、特に、周波数変調（Ｆｒｅｑｕｅｎｃｙ  Ｍｏｄｕｌａｔｉｏｎ：ＦＭ）技術を使用する。トランシーバ回路２０６は、９００ＭＨｚまたは２．４ＧＨｚの産業科学医療（Ｉｎｄｕｓｔｒｉａｌ  Ｓｃｉｅｎｔｉｆｉｃ  ａｎｄ  Ｍｅｄｉｃａｌ：ＩＳＭ）周波数帯にＦＭ技術を利用することが好ましい。トランシーバ回路２０６は送信器２１６と受信器２１８とアンテナ１１８を含んでいる。このブロック図２は、コードレス送受話器１０８についてのものであるが、これと同様なまたは同じ回路がコードレス基地局１０２および他のコードレス送受話器１０４にも利用される。
【００１０】
コードレス送受話器（ハンドセット）１０８の基本動作を説明する。コードレス送受話器１０８のユーザは電話で話をしているとき、マイクロフォン２１４の中に可聴音声信号を送り込み、マイクロフォン２１４は、低レベルのアナログ信号をオーディオ回路２２０に供給しその情報を処理する。この情報は送信器２１６に送られＲＦ信号によりアンテナ１１８からコードレス基地局１０２に送信される。一方、コードレス送受話器１０８はアンテナ１１８と受信器２１８でＲＦ信号を受信し、受信器２１８はそれを処理してオーディオ回路２２０に供給する。オーディオ回路２２０はこれらの信号を処理して、それをスピーカ２１２に供給し、スピーカ２１２はユーザのために可聴音声信号を発生する。コントローラ２０２は受信器２１８と送信器２１６とオーディオ回路２２０を、必要に応じて、制御する。
【００１１】
キーパッド回路（ｋｅｙｐａｄ  ｃｉｒｃｕｉｔｒｙ）２１０と共に使用されるキーパッドは典型的に、従来の電話キー（すなわち、デュアル・トーン多周波数（Ｄｕａｌ  Ｔｏｎｅ  Ｍｕｌｔｉ  Ｆｒｅｑｕｅｎｃｙ：ＤＴＭＦ）キー０〜９、＊、＃）および制御キーを備えている。電話をかけるとき、使用者がまず最初にキーパッドのキーを押すと、キーパッド回路２１０は、押されている各キーを個別に検出し、この情報をコントローラ２０２に供給する。この情報は、キー選択データと呼ばれる。次に、コントローラ２０２はこのデュアル・トーン多周波信号キー選択データを適当な形式で送信器２１６に送り、このデータをアンテナ１１８からコードレス基地局１０２に送信できるようにする。これに応答して、コードレス基地局１０２は、デュアル・トーン多周波信号キー選択データに基づいてデュアル・トーン多周波信号トーンを発生し、電話の呼出しを生じさせる。利用者は、通話中、ヴォイス（音声）メールを検索するために、個人識別番号（ＰＩＮ）を入力する必要があるときなどに、デュアル・トーン多周波信号キーを押すこともある。キーパッドは、コードレス基地局１０２および送受話器１０８が通信に使用するチャネルを変更するなど、他の理由のためにも使用される。
【００１２】
表示回路２０８と共に使用される視覚ディスプレイは、押されたキーを視覚表示することにより確認する。このディスプレイは利用者に役立つ他の情報、例えば、発呼者識別（ＩＤ）情報、現在の日にちと時刻、現在のチャネル番号、テキスト・メッセージ・データなども表示する。発呼者ＩＤ情報は、公衆交換電話網による電話の呼出しが受信されると、例えば、コードレス基地局１０２からコードレス送受話器１０８に送信される。コントローラ２０２は、受信器２１８からこのデータを受け取り、それを適当な形式でディスプレイの表示回路２０８に送る。テキスト・メッセージ・データは、電子メール（ｅメール）または短いメッセージと同様に、電話器にそして電話器から送ることができ、これには、例えば、天候やスポーツに関するメッセージも含まれる。
【００１３】
本発明に関して述べると、現存するベースバンド・チャネルを別々の部分に分割することにより、アナログ式コードレス電話のチャネルでデータと音声の同時通信が実現される。ここで説明する実施例では、スペクトルの一部約３００〜３，３００Ｈｚがオーディオ／音声通信に当てられ、スペクトルの一部約１０〜３０ＫＨｚが他の情報（すなわち、ディジタル・データ）の通信に当てられる。この好ましい実施例は、約２０ＫＨｚに存在し且つ約２ＫＨｚの帯域幅を有するデータ・チャネルを有する。このデータ・チャネルは、約２０ＫＨｚの中心周波数を有する周波数偏移変調（ＦＳＫ）トーンを使用することが好ましい。５〜１０ＫＨｚのスペクトルはディジタル・データにも利用できるが、スペクトルのこの部分は、より厳格な濾波とより多くの費用を要するであろう。
【００１４】
図３は、図２のコードレス送受話器１０８の送信器２１６のブロック図である。この送信器２１６には、マイクロフォン２１４、オーディオ回路２２０、コントローラ２０２、変調器３０２、加算器３０４、変調器３０６、電力増幅器３０８、そしてアンテナ１１８が含まれる。送信器２１６は、９００ＭＨｚまたは２．４ＧＨｚのＩＳＭ帯域内で動作するように構成されている。このようなシステムで音声とデータを同一チャネルで同時に送信する方法を説明するフローチャート（図７）と組み合わせて、図３を詳細に説明する。
【００１５】
図２と図７について、図７の開始ブロック７００から始まり、利用者はコードレスで通話中、マイクロフォン２１４の中へ可聴音声を送り込む。オーディオ回路２２０はマイクロフォンから低レベルの信号を受け取りそれを処理して、アナログ音声信号を発生し（ステップ７０２）、この音声信号は加算器３０４に送られる。コントローラ２０２は、そのアナログ信号が発生されると同時にディジタル・データを発生し、このディジタル・データを変調器３０２に送る。このディジタル・データは、表示用／制御用に適するデータであり、例えば、発呼者ＩＤデータ、テキスト・メッセージ・データ、或るいはキー選択データである。
【００１６】
変調器３０２は、搬送信号をこのディジタル・データで変調し、ディジタル的に変調された信号を発生する（ステップ７０４）。一般に、このディジタル変調信号は１０ＫＨｚ以上の公称周波数を有する。このディタル変調信号は約２０ＫＨｚの中心周波数を有し且つ約２ＫＨｚの帯域幅を有することが好ましい。このディジタル変調信号は加算器３０４に送られる。加算器３０４はこのディジタル変調信号とオーディオ回路２２０からのアナログ信号とを加算し、複合アナログ・ディジタル信号を出力する（ステップ７０６）。変調器３０６において、複合アナログ・ディジタル信号はＲＦ搬送信号を変調し、変調されたＲＦ搬送信号を発生する（ステップ７０８）。次に、変調されたＲＦ搬送波は電力増幅器３０８により増幅され（ステップ７１０）、アンテナ１１８から送信される。
【００１７】
図４に、図３の変調器３０２の詳細図を示す。この実施例で、変調器３０２は、周波数偏移変調（ＦＳＫ）信号発生器である。図４の変調器３０２は、公称周波数２０ＫＨｚの方形波を発生する２個のインバータ（インバータ４１０とインバータ４１４）で実現される非安定マルチバイブレータを使用する。周波数偏移変調（ＦＳＫ）は、ダイオード４０６のダイオード・スイッチで切り替えられるコンデンサとコントローラ２０２からのディジタル・データを使用して行われる。この回路は、簡単で低コストで良い性能が得られるので特に有利である。
【００１８】
この実施例で、図４の変調器３０２に含まれる抵抗４０２は第１の端がコントローラ２０２に結合され、第２の端はコンデンサ４０４の第１の端に結合されている。コンデンサ４０４の第２の端は接地される。抵抗４０２の第２の端とコンデンサ４０４の第１の端はダイオード４０６の第１の端に結合される。ダイオード４０６の第２の端は、抵抗４０８と抵抗４１２とコンデンサ４１６の各第１の端に結合される。インバータ４１０の有する入力は抵抗４０８の第２の端に結合され、出力は抵抗４１２の第２の端に結合される。インバータ４１４の入力は抵抗４１２の第２の端およびインバータ４１０の出力に結合され、出力はコンデンサ４１６の第２の端に結合される。抵抗４１８の第１の端は、インバータ４１４の出力およびコンデンサ４１６の第２の端に結合され、第２の端は加算器３０４に結合される。図４の構成要素の値を以下に例示する。抵抗４０２＝１０ＫΩ、コンデンサ４０４＝０．０３３μＦ、抵抗４０８＝１ＫΩ、抵抗４１２＝３．３ＫΩ、コンデンサ４１６＝０．０１μＦ、抵抗４１８＝８２０ＫΩ。
【００１９】
変調器３０２によって発生される方形波は、アナログ音声信号による分周波と相互変調の生成物（ｐｒｏｄｕｃｔ）に関して問題を生じないことが検査と解析によって確認された。別の実施例で、変調器３０２は正弦波に近似する周波数偏移変調（ＦＳＫ）信号を発生する。この正弦波信号を実現するためには、ＲＦ変調に先立ちマルチバイブレータの出力を瀘波するか、または他のよく知られた正弦波発生技術を使用する。
【００２０】
図５は、図２のコードレス送受話器１０８の受信器２１８のブロック図である。この受信器２１８は、アンテナ１１８、復調器５０２、フィルタ５０４、検波器５０６、およびコントローラ２０２を含んでいる。受信器２１８は、９００ＭＨｚまたは２．４ＧＨｚＩＳＭ帯域内で動作するように構成される。このようなシステムにおいて、音声とデータを同一チャネルで同時に受信する方法を説明するフローチャート（図８）と組み合わせて、図５を詳細に説明する。
【００２１】
図５と図８について、図８の開始ブロック８００から始まり、変調されたＲＦ搬送信号はアンテナ１１８で受信される（ステップ８０２）。この変調されたＲＦ信号は復調器５０２で復調されて（ステップ８０４）、複合アナログ・ディジタル信号を発生する。この複合アナログ・ディジタル信号はフィルタ５０４で瀘波され、アナログ信号とディジタル変調信号とを互いに分離する（ステップ８０６）。この瀘波は中心周波数約２０ＫＨｚと帯域幅約２ＫＨｚを有する帯域フィルタによって行うことが好ましく、ディジタル・データを搬送する公称２０ＫＨｚの周波数偏移変調（ＦＳＫ）トーンが得られる。検波器５０６は周波数偏移変調（ＦＳＫ）トーンからディジタル・データを検出する（ステップ８０８）。このディジタル・データは表示／制御用に適するデータであり、例えば、発呼者ＩＤデータ、テキスト・メッセージ・データ、チャネル番号データ、或るいはキー選択データである。このディジタル・データはコントローラ２０２に送られ、コントローラ２０２はこのデータを、表示／制御の目的に使用する（ステップ８１０）。
【００２２】
図６に、図５のフィルタ５０４および検波器５０６の詳細図を示す。この実施例で、フィルタ５０４（図６）は２０ＫＨｚの能動帯域フィルタであり、検波器５０６は包絡線検波器である。フィルタ５０４は周波数偏移変調（ＦＳＫ）信号を傾斜（ｓｌｏｐｅ）検波できるＱおよび形状係数を有する。図６の回路は、簡単で低コストで良い性能が得られ有利であるが、位相ロックループ（ＰＬＬ）を使用する検波スキームのような、他の技術を利用することもできる。
【００２３】
この実施例で、図６のフィルタ５０４は、第１の端が復調器５０２の出力に結合され、第２の端が抵抗６１２の第１の端に結合されるコンデンサ６１０を使用する。抵抗６１２は第２の端がコンデンサ６１４の第１の端に結合され、第１の端はコンデンサ６１６の第１の端および抵抗６２０の第１の端に結合される。抵抗６２０は第２の端が接地される。コンデンサ６１４は第２の端が抵抗６１８の第１の端に結合される。コンデンサ６１６は第２の端が抵抗６１８の第２の端に結合され、これら第２の端は何れも演算増幅器６２８の第１の入力に結合される。演算増幅器６２８の第２の入力は、抵抗６２６の第１の端と抵抗６２２の第１の端とコンデンサ６２４の第１の端に結合される。抵抗６２６の第２の端は基準電圧に結合される。抵抗６２２とコンデンサ６２４の第２の端は接地されている。演算増幅器６２８の出力はコンデンサ６３０の第１の端に結合され、コンデンサ６３０の第２の端は抵抗６３２の第１の端とダイオード６３４の第１の端に結合され、ダイオード６３４の第２の端は抵抗６３６の第１の端とコンデンサ６３８の第１の端に結合される。抵抗６３２と抵抗６３６とコンデンサ６３８の第２の端は接地される。コンデンサ６３８の第１の端はフィルタ５０４の出力である。
【００２４】
図６の包絡線検波器５０６は、第１の端がフィルタ５０４の出力に結合され第２の端がコンデンサ６４２の第１の端に結合される抵抗６４０を使用する。コンデンサ６４２の第２の端は、抵抗６４４の第１の端とコンデンサ６４６の第１の端とトランジスタ６４８のベースに結合される。トランジスタ６４８のコレクタは、抵抗６４４とコンデンサ６４６の第２の端に結合されると共に、抵抗６５２と抵抗６５４の第１の端に結合される。抵抗６５２の第２の端は基準電圧に結合され、抵抗６５４の第２の端はコントローラ２０２に結合される。抵抗６５４の第２の端は検波器５０６の出力である。
【００２５】
図６の構成要素は、例えば、コンデンサ６１０＝０．０１μＦ、抵抗６１２＝１５ＫΩ、コンデンサ６１４＝２７０ｐＦ、コンデンサ６１６＝２７０ｐＦ、抵抗６１８＝６８０ＫΩ、抵抗６２０＝１．８ＫΩ、抵抗６２２＝２ＭΩ、コンデンサ６２４＝０．１μＦ、抵抗６２６＝２ＭΩ、コンデンサ６３０＝０．１μＦ、抵抗６３２＝２ＫΩ、抵抗６３６＝１．５ＫΩ、コンデンサ６３８＝０．０６８μＦ、抵抗６４０＝２．２ＫΩ、コンデンサ６４２＝３．３μＦ、抵抗６４４＝１５０ＫΩ、コンデンサ６４６＝６８０ｐＦ、抵抗６５２＝４７Ω、抵抗６５４＝１０ＫΩ、そして基準電圧＝３．６ボルト（コードレス送受話器）および５．０ボルト（コードレス基本ユニット）。
【００２６】
本発明を使用する、図１のコードレス電話システム１００は、通話中にディジタル信号が送られると、コードレス送受話器１０８のオーディオ進路を消音する機能を含まない。ディジタル信号が送られているとき、消音するコマンドは発せられず、消音処理は行われない。従って、ディジタル・データの受信中、スピーカ２１２は消音されないままの状態にある。しかしながら、通話中にコードレス送受話器１０８がチャネルを変更する場合は例外となる。
【００２７】
従って、アナログ式コードレス電話チャネルでのデータと音声の同時使用は、現存するベースバンド・チャネルを別々の部分に分割することにより実現される。ある特定の実施例で、スペクトルの一部約３００〜３，３００Ｈｚはオーディオ／音声通信に当てられ、スペクトルの一部約１０〜３０ＫＨｚは他の情報、すなわちディジタル・データの通信に当てられる。この好ましい実施例は約２０ＫＨｚに存在するデータ・チャネルと約２ＫＨｚの帯域幅を有する。このデータ・チャネルは約２０ＫＨｚの中心周波数を有するＦＳＫ変調トーンを使用することが好ましい。５〜１０ＫＨｚのスペクトルもディジタル・データのために使用できるが、スペクトルのこの部分は、より厳格な瀘波とより多くの費用を要するであろう。
【００２８】
本文中に記述されている、アナログ式コードレス電話システムにおいて、音声とデータを同一のチャネルで同時に通信する本発明による方法では、通話中、可聴音声信号からアナログ信号を発生し、搬送波をディジタル・データで変調して、ディジタル的に変調された信号を発生し、前記アナログ信号とディジタル変調信号を加算して、複合アナログ・ディジタル信号を発生し、ＲＦ搬送波をこの複合アナログ・ディジタル信号で変調して、変調されたＲＦ搬送波を発生し、この変調されたＲＦ搬送波を送信する。受信端では、前記変調されたＲＦ搬送波を受信し、このＲＦ搬送波を復調して、複合アナログ・ディジタル信号を再生し、この複合信号を瀘波して、前記アナログ信号とディジタル変調信号を互いに分離し、前記アナログ信号から可聴音声信号を再生し、前記ディジタル変調信号からディジタル・データを検出し、このディジタル・データを、コードレス電話システムで表示または制御のために処理する。このディジタル・データは、制御または表示に適するデータ、例えば、発呼者ＩＤデータ、テキスト・メッセージ・データ、或るいはキー選択データである。
【００２９】
本発明によるアナログ・コードレス電話システムは、コードレス基本ユニットとコードレス電話ユニット（電話器）を含んでいる。各ユニットは送信部と受信部を備える。送信部は、通話中、第１の可聴音声信号から第１のアナログ信号を発生する第１のオーディオ回路と、第１のディジタル・データで搬送波を変調して、ディジタル的に変調された信号を発生する第１の変調器と、前記第１のアナログ信号と前記ディジタル変調信号を加算して、第１の複合アナログ・ディジタル信号を発生する加算器と、前記第１の複合アナログ・ディジタル信号で第１のＲＦ搬送波を変調して、第１の変調されたＲＦ搬送波を発生する第２の変調器と、前記第１の変調されたＲＦ搬送波を送信する送信器と、を含んでいる。前記第１のディジタル、データは、例えば、電話の発呼者ＩＤデータ、テキスト・メッセージ・データ、或るいはキー選択データである。受信部には、通話中、第２の変調されたＲＦ搬送波を受ける受信器と、前記第２の変調されたＲＦ搬送波を復調して、第２の複合アナログ・ディジタル信号を発生する復調器と、前記第２の複合アナログ・ディジタル信号を瀘波して、第２のアナログ信号と第２のディジタル変調信号を互いに分離するフィルタと、前記第２のアナログ信号から第２の可聴音声信号を発生するオーディオ回路と、前記第２のディジタル変調信号から第２のディジタル・データを検出する検波器と、コードレス・ユニットで表示または制御用に前記第２のディジタル・データを処理するプロセッサと、前記第２のディジタル・データを受信中、消音されないままの状態にあるスピーカと、を含んでいる。
【００３０】
上記のことは本発明の好ましい実施例を述べたもので、特許請求の範囲に記載の本発明の精神と範囲から離れることなく種々の変更、改変、変形が可能である。例えば、図４と図６に関連して述べた回路は、本発明の実施に利用できる例にすぎず、他の構成で実施することもでき、これは当業者が容易に理解できる。図面はコードレス送受話器に利用できるものであるが、同じまたは同じような回路がコードレス基地局で利用され、両ユニットが同じまたは同じような構成要素を有することが好ましい。明細書と特許請求の範囲における用語または語句のうち、当業者にとって平易でない特殊な意味を有するものはなく、従って、この明細書は不当に狭い意味で用語を定義するものではない。
【図面の簡単な説明】
【図１】
本発明のアナログ式コードレス電話システムのブロック図である。
【図２】
図１のアナログ式コードレス電話システムのコードレス電話ユニット（電話器）のブロック図である。
【図３】
図２のコードレス電話ユニットの送信部のブロック図である。
【図４】
図３の変調器の詳細図である。
【図５】
図２のコードレス電話ユニットの受信部のブロック図である。
【図６】
図５のフィルタと検波器の詳細図である。
【図７】
図１のアナログ・コードレス電話システムにおいて音声とデータを同一チャネルで同時に送信する方法を説明するフローチャートである。
【図８】
図１のアナログ式コードレス電話システムにおいて音声とデータを同一チャネルで同時に受信する方法を説明するフローチャートである。
【図１】
2004527141.tif 000003
【図２】
2004527141.tif 000004
【図３】
2004527141.tif 000005
【図４】
2004527141.tif 000006
【図５】
2004527141.tif 000007
【図６】
2004527141.tif 000008
【図７】
2004527141.tif 000009
【図８】
2004527141.tif 000010
【国際公開パンフレット】
2004527141.tif 000011
2004527141.tif 000012
2004527141.tif 000013
2004527141.tif 000014
2004527141.tif 000015
2004527141.tif 000016
2004527141.tif 000017
2004527141.tif 000018
2004527141.tif 000019
2004527141.tif 000020
2004527141.tif 000021
2004527141.tif 000022
2004527141.tif 000023
2004527141.tif 000024
2004527141.tif 000025
2004527141.tif 000026
2004527141.tif 000027
2004527141.tif 000028
2004527141.tif 000029
2004527141.tif 000030
2004527141.tif 000031
2004527141.tif 000032
2004527141.tif 000033
2004527141.tif 000034
【国際調査報告】
2004527141.tif 000035
2004527141.tif 000036
2004527141.tif 000037